(57)【特許請求の範囲】
【請求項１】
上方に開口する開口部を有する凹部とこの凹部に連続する中空部とを有するとともに、電源に接続される一対の電極を前記開口部に臨ませて配設した高所に据え付けられる基台部と、一対の端子を支持台の裏面から突出させて配設する一方、前記支持台を前記凹部に嵌め込むことにより前記各電極に前記各端子が上方からそれぞれ接触して発光部に電流を供給することによりこの発光部を点灯させるとともに、前記基台部に対して着脱可能に形成した光源部とを有する照明灯の前記両端子間を結ぶ中心線の位置を示す線である罫書き位置マークを有するとともに、前記各端子間を電気的に絶縁すべく前記支持台の裏面から突出させて前記各端子間に設けたＵ字状の隔離壁の外縁に沿うＵ字形状の透孔であるくり抜き部を有することを特徴とする合マークテンプレート。
【請求項２】
上方に開口する開口部を有する凹部とこの凹部に連続する中空部とを有するとともに、電源に接続される一対の電極を前記開口部に臨ませて配設した高所に据え付けられる基台部と、一対の端子を支持台の裏面から突出させて配設する一方、前記支持台を前記凹部に嵌め込むことにより前記各電極に前記各端子が上方からそれぞれ接触して発光部に電流を供給することによりこの発光部を点灯させるとともに、前記基台部に対して着脱可能に形成した光源部とを有する照明灯の前記両電極間を結ぶ中心線の位置を示す線である罫書き位置マークを有するとともに、前記電極の外径とほぼ同一寸法の幅を有する矩形状の透孔であるくり抜き部を有することを特徴とする合マークテンプレート。
【請求項３】
上方に開口する開口部を有する凹部とこの凹部に連続する中空部とを有するとともに、電源に接続される一対の電極を前記開口部に臨ませて配設した高所に据え付けられる基台部と、一対の端子を支持台の裏面から突出させて配設する一方、前記支持台を前記凹部に嵌め込むことにより前記各電極に前記各端子が上方からそれぞれ接触して発光部に電流を供給することによりこの発光部を点灯させるとともに、前記基台部に対して着脱可能に形成した光源部とを有する照明灯の前記両端子間及び前記両電極間を結ぶ中心線の位置を示す線である罫書き位置マークを有するとともに、前記各端子間を電気的に絶縁すべく前記支持台の裏面から突出させて前記各端子間に設けたＵ字状の隔離壁の外縁に沿うＵ字形状の透孔であるＵ字形状部が中央部に形成され、同時に
前記電極の外径とほぼ同一寸法の幅を有する矩形状の透孔である矩形部が前記Ｕ字状部の両側に連続して一体的に形成されたくり抜き部を有することを特徴とする合マークテンプレート。
【請求項４】
上方に開口する開口部を有する凹部とこの凹部に連続する中空部とを有するとともに、電源に接続される一対の電極を前記開口部に臨ませて配設した高所に据え付けられる基台部と、一対の端子を支持台の裏面から突出させて配設する一方、前記支持台を前記凹部に嵌め込むことにより前記各電極に前記各端子が上方からそれぞれ接触して発光部に電流を供給することによりこの発光部を点灯させるとともに、前記基台部に対して着脱可能に形成した光源部とを有する照明灯における前記光源部の取替え方法であって、
前記両電極間を結ぶ中心線の位置を示す線である罫書き位置マークを有するとともに、前記電極の外径とほぼ同一寸法の幅を有する矩形状の透孔であるくり抜き部を有する合マークテンプレートを前記基台部の前記凹部の底面に当てて前記基台部の前記罫書き位置マークと一致する位置に基台部側位置マークを罫書く工程と、
前記両端子間を結ぶ中心線の位置を示す線である罫書き位置マークを有するとともに、前記各端子間を電気的に絶縁すべく前記支持台の裏面から突出させて前記各端子間に設けたＵ字状の隔離壁の外縁に沿うＵ字形状の透孔であるくり抜き部を有する合マークテンプレートを前記支持台の裏面に当てて前記支持台の前記罫書き位置マークと一致する位置に光源部側位置マークを罫書く工程と、
前記支持台を前記凹部に嵌め込むとともに、前記光源部側位置マークと前記基台部側位置マークとを目視しながら前記光源部側位置マークが前記基台部側位置マークの位置に合うように基台部に対する光源部の位置を調整して基台部に取り付ける工程とを有することを特徴とする光源部の取替え方法。
【請求項５】
上方に開口する開口部を有する凹部とこの凹部に連続する中空部とを有するとともに、電源に接続される一対の電極を前記開口部に臨ませて配設した高所に据え付けられる基台部と、一対の端子を支持台の裏面から突出させて配設する一方、前記支持台を前記凹部に嵌め込むことにより前記各電極に前記各端子が上方からそれぞれ接触して発光部に電流を供給することによりこの発光部を点灯させるとともに、前記基台部に対して着脱可能に形成した光源部とを有する照明灯における前記光源部の取替え方法であって、
前記両端子間及び前記両電極間を結ぶ中心線の位置を示す線である罫書き位置マークを有するとともに、前記各端子間を電気的に絶縁すべく前記支持台の裏面から突出させて前記各端子間に設けたＵ字状の隔離壁の外縁に沿うＵ字形状の透孔であるＵ字形状部が中央部に形成され、同時に前記電極の外径とほぼ同一寸法の幅を有する矩形状の透孔である矩形部が前記Ｕ字状部の両側に連続して一体的に形成されたくり抜き部を有する合マークテンプレートを前記基台部の前記凹部の底面に当てて前記基台部の前記罫書き位置マークと一致する位置に基台部側位置マークを罫書く工程と、
前記両端子間を結ぶ中心線の位置を示す線である罫書き位置マークを有するとともに、前記各端子間を電気的に絶縁すべく前記支持台の裏面から突出させて前記各端子間に設けたＵ字状の隔離壁の外縁に沿うＵ字形状の透孔であるくり抜き部を有する合マークテンプレートを前記支持台の裏面に当てて前記支持台の前記罫書き位置マークと一致する位置に光源部側位置マークを罫書く工程と、
前記支持台を前記凹部に嵌め込むとともに、前記光源部側位置マークと前記基台部側位置マークとを目視しながら前記光源部側位置マークが前記基台部側位置マークの位置に合うように基台部に対する光源部の位置を調整して基台部に取り付ける工程とを有することを特徴とする光源部の取替え方法。
【発明の詳細な説明】
【技術分野】
【０００１】
本発明は合マークテンプレート及び光源部の取り替え方法に関し、特に送電線の鉄塔等、高層建造物に設置する航空障害灯の灯器の交換の際に適用して有用なものである。
【背景技術】
【０００２】
航空機等に対して高層建造物の存在を知らせるため、鉄塔やビル等の高層建造物には所定の高度に航空障害灯が設けられている。この種の航空障害灯は、一般的には、光を発する白熱電球やネオン管からなる光源部、この光源部を支持するととともに高層建造物である、例えば鉄塔の高所に固定する基台部、前記光源部を覆うカバー部及び前記光源を点灯或いは点滅させるための電源部等から構成されている。ここでネオン管とは、灯光を発する不活性ガスを封入した放電管のことである。
【０００３】
かかる航空障害灯の一種として静電誘導式の航空障害灯がある。これは、架空地線の一部を絶縁することで電力線と絶縁架空地線間の静電容量に起因して電力線から得られる静電誘導電力を点灯用電源として利用するものである。かかる静電誘導式の航空障害灯では架空地線を絶縁することにより電力を簡単に取り出すことができるので、山間部等、他から電力を引くことが困難な場所でも航空障害灯を点灯させることが可能であるという特長を有している。
【０００４】
一方、かかる静電誘導式をはじめとして航空障害灯の光源部が切れた場合には、この光源部を取り替える必要がある。ところが、この取替作業は高所作業であることとも相俟って困難をきわめる。ここで、基台部には電源に繋がる一対の電極が配設してあり、光源部には前記電極と接触させるべき端子が設けてある。そこで、前記電源部の取替えの際には、基台部が設置されている高所に取り替える光源部を持った作業者が登り、かかる所定の高所で光源部の端子が基台部の電極に電気的に接触するように基台部に対する光源部の位置を調整しつつ位置決めを行い、カバー部とともに新たな光源部を基台部に固定している。
【０００５】
上述の如き基台部に対する光源部の位置決め作業は、この作業が高所における不安定な姿勢での作業であるというばかりでなく、作業者が電極と端子との相対的な位置関係を目視しながら作業を進めるということができず、位置合わせは実質的に作業者の勘に頼っているのが実情である。
【０００６】
そこで、端子の電極に対する一応の電気的な接触は確保されているので光源部の発光は確保されるが、正規の接触位置から若干ずれた位置で接触していることがしばしば発生する。この場合には、電極に対して端子の接触状態が不安定であるため、振動等により異常電圧が発生しやすく、光源部の寿命に重大な悪影響を及ぼしていた。
【０００７】
かかる悪影響を除去すべく、上述の如き不安定な姿勢での高所作業であっても取り替える光源部の端子の、これが接触すべき電極に対する位置決めを正確且つ容易に行うことができる作業方法の開発が待望されている。
【発明の開示】
【発明が解決しようとする課題】
【０００８】
本発明は、上記従来技術に鑑み、上述の如き光源部の取り替えの際の位置決めを正確に行うとともに、当該作業を容易に行うための治具である合マークテンプレート及び光源部の取り替え方法を提供することを目的とする。
【課題を解決するための手段】
【０００９】
上記目的を達成する本発明の第１の態様は、
上方に開口する開口部を有する凹部とこの凹部に連続する中空部とを有するとともに、電源に接続される一対の電極を前記開口部に臨ませて配設した高所に据え付けられる基台部と、一対の端子を支持台の裏面から突出させて配設する一方、前記支持台を前記凹部に嵌め込むことにより前記各電極に前記各端子が上方からそれぞれ接触して発光部に電流を供給することによりこの発光部を点灯させるとともに、前記基台部に対して着脱可能に形成した光源部とを有する照明灯の前記両端子間を結ぶ中心線の位置を示す線である罫書き位置マークを有するとともに、前記各端子間を電気的に絶縁すべく前記支持台の裏面から突出させて前記各端子間に設けたＵ字状の隔離壁の外縁に沿うＵ字形状の透孔であるくり抜き部を有することを特徴とする合マークテンプレートである。
【００１０】
本発明の第２の態様は、
上方に開口する開口部を有する凹部とこの凹部に連続する中空部とを有するとともに、電源に接続される一対の電極を前記開口部に臨ませて配設した高所に据え付けられる基台部と、一対の端子を支持台の裏面から突出させて配設する一方、前記支持台を前記凹部に嵌め込むことにより前記各電極に前記各端子が上方からそれぞれ接触して発光部に電流を供給することによりこの発光部を点灯させるとともに、前記基台部に対して着脱可能に形成した光源部とを有する照明灯の前記両電極間を結ぶ中心線の位置を示す線である罫書き位置マークを有するとともに、前記電極の外径とほぼ同一寸法の幅を有する矩形状の透孔であるくり抜き部を有することを特徴とする合マークテンプレートである。
【００１１】
本発明の第３の態様は、
上方に開口する開口部を有する凹部とこの凹部に連続する中空部とを有するとともに、電源に接続される一対の電極を前記開口部に臨ませて配設した高所に据え付けられる基台部と、一対の端子を支持台の裏面から突出させて配設する一方、前記支持台を前記凹部に嵌め込むことにより前記各電極に前記各端子が上方からそれぞれ接触して発光部に電流を供給することによりこの発光部を点灯させるとともに、前記基台部に対して着脱可能に形成した光源部とを有する照明灯の前記両端子間及び前記両電極間を結ぶ中心線の位置を示す線である罫書き位置マークを有するとともに、前記各端子間を電気的に絶縁すべく前記支持台の裏面から突出させて前記各端子間に設けたＵ字状の隔離壁の外縁に沿うＵ字形状の透孔であるＵ字形状部が中央部に形成され、同時に
前記電極の外径とほぼ同一寸法の幅を有する矩形状の透孔である矩形部が前記Ｕ字状部の両側に連続して一体的に形成されたくり抜き部を有することを特徴とする合マークテンプレートである。
【００１２】
本発明の第４の態様は、
上方に開口する開口部を有する凹部とこの凹部に連続する中空部とを有するとともに、電源に接続される一対の電極を前記開口部に臨ませて配設した高所に据え付けられる基台部と、一対の端子を支持台の裏面から突出させて配設する一方、前記支持台を前記凹部に嵌め込むことにより前記各電極に前記各端子が上方からそれぞれ接触して発光部に電流を供給することによりこの発光部を点灯させるとともに、前記基台部に対して着脱可能に形成した光源部とを有する照明灯における前記光源部の取替え方法であって、
前記両電極間を結ぶ中心線の位置を示す線である罫書き位置マークを有するとともに、前記電極の外径とほぼ同一寸法の幅を有する矩形状の透孔であるくり抜き部を有する合マークテンプレートを前記基台部の前記凹部の底面に当てて前記基台部の前記罫書き位置マークと一致する位置に基台部側位置マークを罫書く工程と、
前記両端子間を結ぶ中心線の位置を示す線である罫書き位置マークを有するとともに、前記各端子間を電気的に絶縁すべく前記支持台の裏面から突出させて前記各端子間に設けたＵ字状の隔離壁の外縁に沿うＵ字形状の透孔であるくり抜き部を有する合マークテンプレートを前記支持台の裏面に当てて前記支持台の前記罫書き位置マークと一致する位置に光源部側位置マークを罫書く工程と、
前記支持台を前記凹部に嵌め込むとともに、前記光源部側位置マークと前記基台部側位置マークとを目視しながら前記光源部側位置マークが前記基台部側位置マークの位置に合うように基台部に対する光源部の位置を調整して基台部に取り付ける工程とを有することを特徴とする光源部の取替え方法である。
【００１３】
本発明の第５の態様は、
上方に開口する開口部を有する凹部とこの凹部に連続する中空部とを有するとともに、電源に接続される一対の電極を前記開口部に臨ませて配設した高所に据え付けられる基台部と、一対の端子を支持台の裏面から突出させて配設する一方、前記支持台を前記凹部に嵌め込むことにより前記各電極に前記各端子が上方からそれぞれ接触して発光部に電流を供給することによりこの発光部を点灯させるとともに、前記基台部に対して着脱可能に形成した光源部とを有する照明灯における前記光源部の取替え方法であって、
前記両端子間及び前記両電極間を結ぶ中心線の位置を示す線である罫書き位置マークを有するとともに、前記各端子間を電気的に絶縁すべく前記支持台の裏面から突出させて前記各端子間に設けたＵ字状の隔離壁の外縁に沿うＵ字形状の透孔であるＵ字形状部が中央部に形成され、同時に前記電極の外径とほぼ同一寸法の幅を有する矩形状の透孔である矩形部が前記Ｕ字状部の両側に連続して一体的に形成されたくり抜き部を有する合マークテンプレートを前記基台部の前記凹部の底面に当てて前記基台部の前記罫書き位置マークと一致する位置に基台部側位置マークを罫書く工程と、
前記両端子間を結ぶ中心線の位置を示す線である罫書き位置マークを有するとともに、前記各端子間を電気的に絶縁すべく前記支持台の裏面から突出させて前記各端子間に設けたＵ字状の隔離壁の外縁に沿うＵ字形状の透孔であるくり抜き部を有する合マークテンプレートを前記支持台の裏面に当てて前記支持台の前記罫書き位置マークと一致する位置に光源部側位置マークを罫書く工程と、
前記支持台を前記凹部に嵌め込むとともに、前記光源部側位置マークと前記基台部側位置マークとを目視しながら前記光源部側位置マークが前記基台部側位置マークの位置に合うように基台部に対する光源部の位置を調整して基台部に取り付ける工程とを有することを特徴とする光源部の取替え方法である。
【発明の効果】
【００１４】
上記構成の本発明によれば、高所に配設する基台部には、これを高所に設置するに先立って位置合わせのための基台部側位置マークを、また取り替える光源部には、これを取り替えるに先立って同様に位置合わせのための光源部側位置マークを容易に付すことができ、しかもこの作業は地上において行うことができる。
【００１５】
この結果、高所での基台部の電極に対する光源部の端子の位置合わせは基台部側位置マークと光源部側位置マークとを目視しつつ位置合わせを行うことで容易にこれを行うことができる。したがって、基台部の電極に対し光源部の端子を所定の状態で良好に接触させることができ、光源部の長寿命化に寄与し得るばかりでなく、高所での光源部の取替え作業の作業効率を飛躍的に向上させることができる。
【発明を実施するための最良の形態】
【００１６】
以下本発明の実施の形態を図面に基づき詳細に説明する。図１は本発明の実施の形態に係る合マークテンプレートを適用する航空障害灯を一部切り欠いて示す正面図、図２はその光源部を示すＡ−Ａ端面図、図３はその基台部を示すＢ−Ｂ端面図である。
【００１７】
これらの図に示すように、当該航空障害灯は、光を発するネオン管１からなる光源部Ｉ、この光源部Ｉを支持する基台部II、前記光源部Ｉを覆うカバー部IIIを有している。基台部IIは、上方に向かって開口する凹部２ａ及びこの凹部２ａの底面にその下方で一体的に連続する中空部２ｂを有する円筒状の碍子部２と、前記中空部２ｂに配設した一対の電極３，４とを有している。電極３，４はこれらと一体となったロッド状のリード部材５，６の下部を介して端子部７，８で碍子部２に固定してあり、上方から碍子部２に嵌め込む光源部Ｉの端子９，１０が接触して電気的な接続状態を確保し得るようになっている。ここで、電極３，４は水平な面として形成された円板状の部材であり、その周縁部にはリング状の壁部３ａ，４ａが設けてある。また、端子部７，８は電源（図示せず。）に接続してある。
【００１８】
さらに詳言すると、ネオン管１は円板状の支持台１１に支持するとともに接地極となるボルト１２及びこれに螺合するナット１３を介して前記支持台１１に固定してある。ここでボルト１２及びナット１３は一方の端子９と導電性の接続板１５を介して電気的に接続してある。また、ボルト１２及びナット１３は、支持台１１の裏面に一体的に形成した凸部であるＵ字状の隔離壁１６で囲繞することでもう一方の充電部である端子１０から隔離して電気的な絶縁状態を確実に確保するようになっている。ここで、支持台１１の裏面には、端子９、ボルト１２、ナット１３及び接続板１４を配設するための凹部１１ａ及び端子１０を配設するための凹部１１ｂがそれぞれ設けてある。
【００１９】
押え部材１４は、その外径が碍子部２の上端面２ｃの外径とほぼ同一で、その内径が支持台１１の外径よりも小さく且つネオン管１の外径よりも若干大きな環状の部材である。そこで、光源部Ｉを基台部IIと一体化する際には、先ず光源部Ｉの支持台１１を碍子部２の凹部２ａに嵌め込み、その後支持台１１の上方からその上面に押え部材１４の下面を当接させるとともに、碍子部２の上端面２ｃに押え部材１４の下面を当接させる。このように、支持台１１を凹部２ａに嵌め込んだ状態で端子９，１０の先端が電極３，４の表面に当接する。このとき、支持台１１の表面が前記上端面２ｃと面一となる。
【００２０】
一方、カバー部IIIはその下端部を押え部材１４の表面に当接させた状態でこの押え部材１４に載置するようになっている。このように押え部材１４に載置した状態で、この押え部材１４を介して固定具（図示せず。）により、カバー部IIIとともに光源部Ｉを基台部IIに固定する。
【００２１】
かかる航空障害灯において、光源部Ｉのネオン管１が切れた場合には、このネオン管１を取り替える必要があるが、この取替え作業は当該航空障害灯が設置してある送電線鉄塔の所定の高所に作業員が登って実施している。具体的には、基台部IIが設置されている高所に取り替える光源部Ｉを持った作業者が登り、かかる所定の高所で光源部Ｉの端子９，１０が基台部IIの電極３，４に電気的に接触するように基台部IIに対する光源部Ｉの位置を調整しつつ位置決めを行い、かかる位置決めの後、カバー部IIIとともに新たな光源部Ｉを基台部IIに固定している。
【００２２】
かかる基台部IIに対する光源部Ｉの位置決め作業は、前述の如く、従来では作業者が電極３，４と端子９，１０との相対的な位置関係を目視しながら作業を進めるということができず、実質的に作業者の勘に頼って行っていた。
【００２３】
本形態は、電極３，４と端子９，１０との相対的な位置関係を目視しながら前述の如き光源部Ｉの取替え作業を進めるための治具である合マークテンプレートに関するものである。ここで、本形態に係る合マークテンプレートについて説明する。
【００２４】
図４は本形態に係る合マークテンプレートを示す平面図である。同図に示すように、当該合マークテンプレート１７は、光源部Ｉ側の位置合わせマークである光源部側位置マーク（図４には図示せず。）を罫書く際には支持台１１の裏面に当接させるとともに、基台部II側の位置合わせマークである基台部側位置マーク（図４には図示せず。）を罫書く際には碍子部２の凹部２ａの底面に当接させて用いる。このため、所定のくり抜き部１８を有するとともに光源部Ｉと基台部IIとの合マークの罫書き位置に、この位置であることを表す罫書き位置マーク１７ａ，１７ｂを付してある。
【００２５】
罫書き位置マーク１７ａ，１７ｂは、両端子９，１０間を結ぶ中心線であり、また両電極３，４間を結ぶ中心線でもある線上に位置している。
【００２６】
くり抜き部１８は、当該合マークテンプレート１７を光源部Ｉの支持台１１に当接させるべく隔離壁１６を貫通させるとともに、当該合マークテンプレート１７を碍子部２の凹部２ａの底面に当接させるべく電極３，４を貫通させるためのものである。したがって、くり抜き部１８の中央部は隔離壁１６の外縁に沿うＵ字形状部１８ａとなっており、同時にくり抜き部１８の両端部は電極３，４の外径とほぼ同一寸法の幅を有する矩形部１８ｂ，１８ｃとなっている。すなわち、これらＵ字形状部１８ａと両矩形部１８ｂ，１８ｃとを合わせて一体的に連続させた形状の透孔としてくり抜き部１８が形成してある。
【００２７】
図５は、光源部Ｉの支持台１１の裏面に合マークテンプレート１７を当接させて光源部側位置マークを付す場合の態様を示す図で、（ａ）は図１のＡ−Ａ端面図、（ｂ）はその支持台部分の左側面図、（ｃ）はその右側面図である。
【００２８】
同図に示すように、先ず合マークテンプレート１７を支持台１１の裏面に当接させる。このとき、合マークテンプレート１７にはくり抜き部１８が設けてあるので、そのＵ字形状部１８ａを隔離壁１６が貫通することで支障なく合マークテンプレート１７が支持台１１の裏面に当接する。かかる当接状態で合マークテンプレート１７の罫書き位置マーク１７ａ，１７ｂの位置に合わせて支持台１１の周面１１ｃ（裏面に対して直角な面）に光源部側位置マーク１９ａ，１９ｂを付す。
【００２９】
図６は、基台部IIの凹部２ａの底面に合マークテンプレート１７を当接させて基台部側位置マークを付す場合の態様を示す図１のＢ−Ｂ端面図である。
【００３０】
同図に示すように、先ず合マークテンプレート１７を凹部２ａの底面に当接させる。このとき、合マークテンプレート１７にはくり抜き部１８が設けてあるので、その矩形部１８ｂ，１８ｃが電極３，４を貫通することで支障なく合マークテンプレート１７が凹部２ａの底面に当接する。かかる当接状態で合マークテンプレート１７の罫書き位置マーク１７ａ，１７ｂの位置に合わせて碍子２の上端面に基台部側位置マーク２０ａ，２０ｂを付す。
【００３１】
図７は、光源部Ｉの取替え時の態様を示す斜視図である。同図に示すように、送電線の鉄塔の所定の高所等、所定の位置に配設してある基台部IIの凹部２ａに対し、取り替える光源部Ｉの支持台１１を嵌め込む。この際、作業者は支持台１１に予め罫書いてある光源部側位置マーク１９ａ，１９ｂを目視しながら、碍子部２の上端面２ｃに予め罫書いてある基台部側位置マーク２０ａ，２０ｂの位置に位置合わせを行う。かかる状態では、光源部Ｉの端子部７，８の中心は基台部IIの電極３，４の中心に正確に一致している。そこで、このまま光源部Ｉを基台部IIに載置してカバー部IIIを装着・固定することで光源部Ｉの高所での取替え作業が終了する。
【００３２】
光源部Ｉの交換は上述の如き態様で行うが、これに先立ち次の作業を予め完了させておく。
【００３３】
先ず、地上で、図６に示すような態様で合マークテンプレート１７を凹部１１ａの底面に当て、罫書き位置マーク１７ａ，１７ｂの位置に対応させて碍子部２の上端面２ｃに基台部側位置マーク２０ａ，２０ｂを罫書く。
【００３４】
一方、図５に示すような態様で合マークテンプレート１７を支持台１１の裏面に当て、罫書き位置マーク１７ａ，１７ｂの位置に対応させて支持台１１の周面１１ｃに光源部側位置マーク１９ａ，１９ｂを罫書く。
【００３５】
かかる作業により電極３，４を通る中心線と、端子９，１０を通る中心線とを、罫書き位置マーク１７ａ、１７ｂを通る中心線を介して一致させることができる。
【００３６】
最初は上述の如き罫書き作業を終えて光源部Ｉ及びカバー部IIIを一体化した基台部IIを作業員が持って登り、これを所定の高所に据え付ける。
【００３７】
このようにして所定の高所に据え付けた光源部Ｉが切れた場合には、交換する光源部Ｉの支持台１１の周面１１ｃに光源部側位置マーク１９ａ，１９ｂを罫書く。この作業は地上で行う。その後、光源部側位置マーク１９ａ，１９ｂを罫書いた光源部Ｉを作業員が持って、所定の高所に登り、切れた光源部Ｉを基台部IIから取り外し、上述の如き態様で新しい光源部Ｉと取り替える。すなわち、光源部側位置マーク１９ａ，１９ｂが基台部側位置マーク２０ａ，２０ｂの位置に合うように目視で確認しつつ光源部Ｉの周方向の位置を調節して取り付ける。
【００３８】
なお、上記実施の形態では合マークテンプレート１７のくり抜き部１８がＵ字形状部１８ａ及び矩形部１８ｂ，１８ｃを有するものについて説明したが、必ずしもこれに限定する必要はない。Ｕ字形状部１８ａであるくり抜き部と矩形部１８ｂ、１８ｃであるくり抜き部とを個別に有する２枚の合マークテンプレートとしても同様の効果が得られる。ただ、１枚の合マークテンプレート１７で光源部側位置マーク１９ａ，１９ｂの罫書き用と、基台部側位置マーク２０ａ，２０ｂの罫書き用として兼用しうる本形態に係る合マークテンプレート１７の方が合理的である。
【産業上の利用可能性】
【００３９】
本発明は、高所に設置する航空障害灯を製造、販売する産業分野乃至その保守を行う産業分野で利用することができる。
【図面の簡単な説明】
【００４０】
【図１】本発明の実施の形態に係る合マークテンプレートを適用する航空障害灯を一部切り欠いて示す正面図である。
【図２】図１に示す航空障害灯を示すＡ−Ａ端面図である。
【図３】図１に示す航空障害灯を示すＢ−Ｂ端面図である。
【図４】本発明の実施の形態に係る合マークテンプレートを示す平面図である。
【図５】光源部Ｉの支持台１１の裏面に図４に示す合マークテンプレートを当接させて光源部側位置マークを付す場合の態様を示す図で、（ａ）は図１のＡ−Ａ端面図、（ｂ）はその支持台部分の左側面図、（ｃ）はその右側面図である。
【図６】基台部IIの凹部２ａの底面に図４に示す合マークテンプレートを当接させて基台部側位置マークを付す場合の態様を示す図１のＢ−Ｂ端面図である。
【図７】光源部Ｉの取替え時の態様を示す図で、目視により基台部側位置マークに光源部側位置マークを合わせている状態を示す斜視図である。
【符号の説明】
【００４１】
Ｉ        光源部
II        基台部
III       カバー部
１      ネオン管
２      碍子部
２ａ    凹部
２ｂ    中空部
２ｃ    上端面
３，４      電極
３ａ，４ａ    壁部
９，１０      端子
１１      支持台
１１ａ    凹部
１１ｂ    中空部
１１ｃ    周面
１６      隔離壁
１７      合マークテンプレート
１７ａ，１７ｂ    罫書き位置マーク
１８      くり抜き部
１８ａ    Ｕ字形状部
１８ｂ，１８ｃ    矩形部
１９ａ，１９ｂ    光源部側位置マーク
２０ａ，２０ｂ    基台部側位置マーク
【図１】
0004553857.tif 000002
【図２】
0004553857.tif 000003
【図３】
0004553857.tif 000004
【図４】
0004553857.tif 000005
【図５】
0004553857.tif 000006
【図６】
0004553857.tif 000007
【図７】
0004553857.tif 000008